(57)【要約】【課題】歯列矯正治療に於て小臼歯抜歯後の空隙閉鎖を短期間で無理なく行なえ、移動後の咬合も正しい状態を保持し得る歯列矯正の治療システムに用いられる牽引索条止具及び牽引器を提供する。【解決手段】  前歯部にその中央部を固定し側方歯部に沿って湾曲ワイヤが配置される。湾曲ワイヤの両端側はそれぞれの臼歯側に向けて第１牽引付勢手段が牽引付勢する。犬歯は湾曲ワイヤに対してフリー通係自在に係合する。犬歯は第２牽引付勢手段により、前歯部と別に単独でなおかつ同時に後方に牽引付勢される。湾曲ワイヤは、前歯４本側に沿う部分に配置される断面多角形の角形ワイヤ部と、断面円形の円形ワイヤ部とを有する複合ワイヤ体である。湾曲ワイヤ部から略垂直方向に伸長保持された牽引索条止具の異なる高さから牽引する事により、角形ワイヤ部に異なる回転力を加える態様で前歯部の傾斜をコントロールしながら犬歯と同時に後方に牽引する。【選択図】図２
0003143053.tif 000002
【実用新案登録請求の範囲】
【請求項１】
前歯部にその中央部を固定し側方歯部に沿って湾曲配置された湾曲ワイヤと、
湾曲ワイヤの両端側をそれぞれ後方に向けて牽引付勢する牽引器を含む第１牽引付勢手段と、
犬歯に固定したフックを後方に向けて牽引付勢する第２牽引付勢手段と、を含み、
湾曲ワイヤは、前歯４本側に沿う部分に配置される断面多角形の角形ワイヤ部と、角形ワイヤ部の終端からそれぞれ継続して犬歯及び臼歯に沿って配置される断面円形の円形ワイヤ部を有する複合ワイヤ体であり、角形ワイヤ部に一端側を固定するとともに他端側を湾曲ワイヤ部から略垂直方向に伸長保持され、第１牽引付勢手段によりその伸長部を同湾曲ワイヤと平行方向に牽引付勢されつつ角形ワイヤ部に回転負荷を加える態様で設けられた牽引索条止具を備えたことを特徴とする歯列矯正装置。
【請求項２】
請求項１記載の牽引索条止具であり、
該牽引索条止具は、角形ワイヤ部側から伸びる軸杆の伸長方向に間隔を設けて多段状に複数設置され、第１牽引付勢手段の牽引器を外掛け、掛け外し自在に外掛けさせる細径部と細径部に連続する拡大部とを一体化した複数の片持ちスプール体からなる掛かり部を備えたことを特徴とする歯列矯正装置の牽引索条止具。
【請求項３】
ワイヤの牽引索条止具の掛かり部が複数段設置されていることを特徴とする請求項２記載の歯列矯正装置の牽引索条止具。
【請求項４】
固定源に一端を係止し他端側を延長し牽引索条止具の伸長部に係合するコイルバネであり、このコイルバネは一定の長さに引き伸ばされたときに常に歯牙移動に適当な１００ｇ重又は１５０ｇ重の牽引力を発揮するように設計されていることを特徴とする請求項１ないし３のいずれかに記載の牽引器。
【考案の詳細な説明】
【技術分野】
【０００１】
本考案は、歯科の歯並びを矯正する歯列矯正装置に係り、特に、患者の装置使用に対する協力程度にかかわらず比較的短期間で適正な歯列矯正を行うことのできる歯列矯正装置並びにそれに用いられる牽引索条止具及び牽引器に関する。
【背景技術】
【０００２】
犬歯を含む６前歯の後方（奥歯側あるいは臼歯側）への移動方法には従来より、まず２本の犬歯のみを単独で遠心移動し、その後に、４前歯を舌側へ移動する方法と６前歯をまとめて遠心移動する方法が知られている。
【考案の開示】
【考案が解決しようとする課題】
【０００３】
前者の２本の犬歯のみを単独で遠心移動した後に、４前歯を舌側へ移動する方法では、移動が完了するまでに１年程度もの時間がかかり、時間、経費、肉体的な面で患者に大きな負担を強いる欠点があった。また、後者の６前歯をまとめて遠心移動する方法では、ある程度大きな牽引力が必要とされるので、固定源への負担が大きくなりすぎ、犬歯が後方へ直線的に牽引されるので移動方向が適切でなく、皮質骨に接触する可能性が高くなるという欠点があった。
【０００４】
本考案は、上記従来の課題に鑑みてなされたものであり、その一つの目的は、前方歯列の後方への移動を前歯部の傾斜をコントロールしつつ短期間で無理なく行なえ、移動後の咬合も正しい状態を保持し得る歯列矯正装置並びにそれに用いられる牽引索条止具及び牽引器を提供することである。
【課題を解決するための手段】
【０００５】
上記の目的を達成するために、本考案は、前歯部２００にその中央部を固定し側方歯部３００に沿って湾曲配置された湾曲ワイヤ１２と、湾曲ワイヤ１２の両端側をそれぞれ後方（（ｐ１、ｐ２）、（ｑ１、ｑ２）、（ｒ１、ｒ２））に向けて牽引付勢する第１牽引付勢手段（１４）と、犬歯に固定したフック１６を後方に向けて牽引付勢する第２牽引付勢手段１８と、を含み、湾曲ワイヤ１２は、前歯４本（ｋ１、ｋ２、ｍ１、ｍ２）側に沿う部分に配置される断面多角形の角形ワイヤ部１２１と、角形ワイヤ部の両端からそれぞれ継続して犬歯及び臼歯に沿って配置される断面円形の円形ワイヤ部１２２とを有する複合ワイヤ体からなり、角形ワイヤ部１２１に一端側を固定するとともに他端側を湾曲ワイヤ部から略垂直方向に伸長保持し、第１牽引付勢手段１４によりその伸長部を同湾曲ワイヤと平行方向に牽引付勢しつつ角形ワイヤ部１２１に回転負荷を加える態様で設けられた牽引索条止具２４を備えた歯列矯正装置１から構成される。
【０００６】
また、本考案は、上記の牽引索条止具２４であり、該牽引索条止具２４は、角形ワイヤ部１２１側から伸びる軸杆２６の伸長方向に間隔を設けて多段状に複数設置され、第１牽引付勢手段（１４）の牽引器５０を外掛け、掛け外し自在に外掛けさせる細径部３８と細径部に連続する拡大部４０とを一体化した複数の片持ちスプール体３４からなる掛かり部３２を備えた歯列矯正装置の牽引索条止具２４から構成される。
【０００７】
その際、拡大部４０が歯茎４５又は歯の表面側に沿って扁平な扁平形状で構成されている。
【０００８】
また、湾曲ワイヤ１２の牽引索条止具２４の掛かり部３２は複数段設置されている。
【０００９】
また、本考案の牽引器は、固定源に一端５２ａを係止し他端５２ｂ側を延長し牽引索条止具の伸長部に係合するコイルバネであり、このコイルバネは一定の長さに引き伸ばされたときに常に歯牙移動に適当な１００ｇ重（０．９８Ｎ）又は１５０ｇ重（１．４７Ｎ）の牽引力を発揮するように設計されていることを特徴とする。
【考案の効果】
【００１０】
本考案の歯列矯正装置によれば、前歯部にその中央部を固定し側方歯部に沿って湾曲配置された湾曲ワイヤと、湾曲ワイヤの両端側をそれぞれ後方に向けて牽引付勢する第１牽引付勢手段と、犬歯に付加されたフックを後方に向けて牽引付勢する第２牽引付勢手段と、を含み、湾曲ワイヤは、前歯４本側に沿う部分に配置される断面多角形の角形ワイヤ部と、角形ワイヤ部の終端からそれぞれ継続して犬歯及び臼歯に沿って配置される断面円形の円形ワイヤ部とを有する複合ワイヤ体であり、角形ワイヤ部に一端側を固定するとともに他端側を湾曲ワイヤ部から略垂直方向に伸長保持され、第１牽引付勢手段によりその伸長部を同湾曲ワイヤと平行方向に牽引付勢されつつ角形ワイヤ部に回転負荷を加える態様で設けられた牽引索条止具を備えた構成であるから、前方歯列の舌側方向への移動を無理なく行なえ、移動後の咬合も正しい状態を保持し得る。特に、湾曲ワイヤの角形ワイヤ部に強固に固定された牽引索条止具の伸長部側で連結して後方牽引させるから、片持ちスプール体の高さに応じて前歯部の傾斜をコントロールしながらの舌側への牽引が可能となり、その結果、後方牽引終了時の前歯部の不適切な傾斜を防止することができる
【００１１】
また、本考案の歯列矯正装置の牽引索条止具によれば、牽引索条止具は、角形ワイヤ部側から伸びる軸杆の伸長方向に間隔を設けて多段状に複数設置され、第１牽引付勢手段の牽引器を外掛け、掛け外し自在に外掛けさせる細径部と細径部に連続する拡大部とを一体化した複数の片持ちスプール体からなる掛かり部を備えた構成とすることにより、第１牽引付勢装置の角形ワイヤ部による回転トルクの調整を行うことができる。
【００１２】
また、拡大部が歯茎又は歯の表面側に沿って扁平な扁平形状で構成されていることにより、第１牽引付勢装置の牽引器の他端側を細径部に簡単に係止させるとともに、拡大部により確実に係止状態を保持し、その離脱を防止し得る。
【００１３】
また、ワイヤの牽引索条止具の掛かり部は複数段設置されていることにより、第１牽引付勢装置の牽引索条止具の掛かり部の係合高さ位置を複数段階に調整でき、角形ワイヤ部による回転トルクの調整をきめ細かに行うことができる。
【００１４】
また、固定源に一端を係止し他端側を延長し牽引索条止具の伸長部に係合するコイルバネであり、他端側が牽引索条止具との係止長さを調整自在に係止する係止長さ調整機構付きコイルバネからなる牽引器であるから、例えば所定のコイルバネ部分の長さに対応して一定の牽引力を前歯部に加えるようにしておけば、係止長さ調整の際に常にそのコイルバネ長を得るように調節することにより一定の後方牽引力を継続的に加えることができ、後方牽引の実効を図れる。
【考案を実施するための最良の形態】
【００１５】
以下、添付図面を参照しつつ本考案を実施するための最良の形態について説明する。図１ないし図９は、本考案の歯列矯正装置１の一実施形態を示しており、図１は例えば上顎の歯列に装着した状態の歯列矯正装置の見上げ平面図、図２は、歯列矯正装置の要部の一部拡大図である。
【００１６】
歯列矯正装置１は、上顎だけでなく下顎側の歯列にも適用可能である。本実施形態の歯列矯正装置１は、前歯の後方牽引を行なう装置であり、前歯部から側方歯部にかけて湾曲しながらこれらの歯列群に沿って湾曲配置される湾曲ワイヤ１２と、第１牽引付勢装置１４と、第２牽引付勢装置１８と、を含む。第１、第２牽引付勢装置１４，１８は、犬歯を含む前歯６本を臼歯側すなわち、後方に牽引付勢させる。
【００１７】
図１において、本実施形態では犬歯を含む６前歯を前歯部２００、抜歯した第１小臼歯を含む４個１対の全側方歯８本を側方歯部３００としている。中央２本の隣接する中切歯ｋ１、ｋ２とその両外側に隣接配置される側切歯ｍ１、ｍ２の前歯４本の唇側面にそれぞれ図２に示す第１ブラケット２０ａを介して湾曲ワイヤ１２が前歯部に沿う湾曲状態で４個の歯それぞれに結紮されている。さらに、側切歯の後方の犬歯ｎ１、ｎ２、第２小臼歯ｐ１、ｐ２、第１、第２大臼歯ｑ１、ｑ２、ｒ１、ｒ２の頬側に第２左片ブラケット２２ａ、第２右片ブラケット２２ｂを介して湾曲ワイヤ１２がそれぞれの側方歯部に沿う湾曲状態でそれぞれのブラケットに案内されながら歯列に沿う方向に移動自在に設けられている。本実施形態においては、犬歯の後方の隣接歯である第１小臼歯が抜歯されている。
【００１８】
湾曲ワイヤ１２は、角形ワイヤを削合して角形ワイヤ部１２１と円形ワイヤ部１２２とを形成した複合ワイヤ体から構成されている。角形ワイヤ部１２１は、歯科適合の口内で人体に害とならない金属からなる断面四角形のワイヤ部分（図４参照）であり、この角形ワイヤ部１２１は、中央２本の隣接する中切歯ｋ１、ｋ２とその両外側に隣接配置される側切歯ｍ１、ｍ２の前歯４本の唇側に第１ブラケット２０ａを介して４個の歯それぞれに計４箇所で結紮固定されている。第１ブラケット２０ａは、例えば合成樹脂製の４ｍｍ角程度の小型サイズの台からなり、前歯４本それぞれの外面に接着固定されている。これらのブラケット２０ａの図示しないスロット内に角形ワイヤ部１２１を嵌合させ、この状態で適宜の金属線条で結紮固定して角形ワイヤ部１２１を前歯４本のブラケットのスロット(溝)内に結紮固定している。
【００１９】
円形ワイヤ部１２２は、歯科適合の金属からなる断面円形のワイヤ部分（図６参照）であり左側ブラケット、右側ブラケット２２ａ、２２ｂを挿通して歯列に沿う方向に最低限の摩擦で自由に移動できるようになっている。
【００２０】
本実施形態において、角形ワイヤ部１２１の両端にそれぞれ円形左側ワイヤ部１２２ａ、円形右側ワイヤ部１２２ｂが削合されて継続しており、角形ワイヤ部と円形ワイヤ部１２１，１２２とで一体化され全体としてアーチ状の湾曲ワイヤ１２を構成している。湾曲ワイヤ１２は、複数の歯列に同時に固定又は係合して前歯の後方牽引時の連係移動を生起させる連係移動手段である。前述のように、角形ワイヤ部１２１は、前歯４本のブラケットのスロット内に結紮固定されているが、それ以外の円形ワイヤ部１２２は、それぞれのブラケット２２ａ，２２ｂに係合し、それらに形成されたスロットに通係されて自由にワイヤの延長方向、すなわち、アーチ状の軌道に沿って移動可能となっている。同時に犬歯に取り付けられたブラケット２２ａｇ，２２ｂｇは、第２牽引付勢手段１８によって、犬歯を遠心に向けて牽引付勢させる。
【００２１】
さらに、本実施形態において、湾曲ワイヤ１２に一端を固定支持され他端側をワイヤと垂直方向に伸長保持させた牽引索条止具２４が設けられている。牽引索条止具２４は、前歯４本に回転負荷を加えながら後方牽引するための牽引力の受け手段であり、具体的には、湾曲ワイヤ１２に垂直に軸杆２６を固定連結し、その軸杆の垂直伸長側を湾曲ワイヤ１２と平行に牽引することにより湾曲ワイヤ１２と軸杆２６との固定部分２８において回転トルクを生じさせる状態を作り、これを保持させることにより行なう。
【００２２】
詳しくは、図１において、角形ワイヤ部１２１が円形ワイヤ部１２２へ移行する部分の角形ワイヤ部の終端で、牽引索条止具２４の一端が固定されている。牽引索条止具２４の一端側は湾曲ワイヤ１２の角形ワイヤ部１２１に固定されて固定部分２８を形成しており、牽引索条止具２４と角形ワイヤ部１２１とは一体化されている。牽引索条止具２４は接合部Ｊにおいて加締めつけられて湾曲ワイヤ１２に固定されるコ字状溝を有するクランプ台３０と、クランプ台３０に一端を固定され他端側を湾曲ワイヤから垂直状に伸長する軸杆２６と、軸杆２６に取り付けられ第１牽引付勢装置１４に連係して該第１牽引付勢装置１４の牽引付勢力を受ける掛かり部３２と、を備えている。クランプ台３０のコ字状溝は角形ワイヤ部１２１に外嵌してがたつきがないように加締め固定され、これによって軸杆２６と湾曲ワイヤ１２とは固定部分２８において一体化される。掛かり部３２は、第１牽引付勢装置の牽引器５０を係脱自在に係着させる第１牽引付勢装置との連結離脱部位であり、実施形態において、この掛かり部３２は、片持ちスプール体３４から構成されている。掛かり部３２としての片持ちスプール体３４は、軸杆２６の伸長方向直線状に間隔を設けて多段状に複数設置されており、第１牽引付勢装置１４の牽引器５０を外掛け、掛け外し自在に外掛けさせる。詳細には、この片持ちスプール体３４は、軸杆２６の伸長方向に離隔して３個の基台３６が３位置に軸杆の本体から拡大して突設されている。そして、この基台３６からそれぞれ短い細径部３８が横方向に突出し、さらにこの細径部３８に連続して拡大部４０とが一体化されて設けられている。したがって、拡大部４０に対しては外部から外掛け、掛け外し自在に例えばループ状の索条などを外掛けすることができ、たとえば、３個の高さ位置を異ならせた片持ちスプール体３４のいずれかのスプール体に自在に架け替えさせることができる。さらに、図６ないし図８に示すように、拡大部４０は、歯茎４５又は歯の表面側に沿って扁平な扁平形状で構成されている。したがって、第１牽引付勢装置の牽引器の他端側を細径部に簡単に係止させるとともに、拡大部により確実に係止状態を保持し、その離脱を防止し得る。また、例えば図１０のような扁平なリング部を数珠状に一体連結したものを牽引付勢装置として用いる場合に、図１２、に示すように、この係止具が長手方向に捻じられて牽引索条止具に係止されることなく、扁平な状態の面を歯茎４５に対向あるいは当接させた状態で張架されるから、歯茎などにこれらの部材が捻じられて交差状態で当たり、歯茎に食い込んで傷つけたりすることがない。
【００２３】
そして、図３に示すように湾曲配置された湾曲ワイヤ１２の一部を略直線状に斜め後方側に向けて牽引索条止具２４の伸長側において牽引付勢力を加えることにより、角形ワイヤ部の固定部分２８において図１０、図１１に示すような回転負荷が常時加わることになり、これによって、前歯の傾斜をコントロールしつつ前歯４本ならびに犬歯を、同時に後方牽引することが可能となる。なお、スプール体は本実施形態においては、３個設けているが、それ以上の４個、５個、あるいは実用に支障が出ない範囲で６個以上設けても良い。
【００２４】
図４は、第１牽引付勢装置１４の牽引器５０を示しており、図に示すように、牽引器５０は、固定源６０に一端５２ａを係止し他端５２ｂ側を直線状に延長するコイルバネであり、他端５２ｂ側が牽引索条止具２４との係止長さＬを調整自在に係止する係止長さ調整機構付きコイルバネからなる。すなわち、コイルバネはスプリングコイルとしてのコイル部５４とコイル部５４に接続筒５５を介して接続され他端側に伸びる２本の直線状の細い結紮線５６とを含む。２本の直線状部５６は先端が別れており、図４のように先端を掛かり部３２の細径部３８に掛けて先端部を捩り止めすることにより全体の長さを自在に調整できる。したがって、捩り止め位置を変えることにより全体長の長さ調整とともに、コイル部５４による後方牽引力調整も行なえる。これによって、例えば所定のコイル部５４の長さ５４Ｌに対応して一定の牽引力を発揮するようにしておけば、係止長さ調整の際に常にそのコイルバネ長を得るように目視調節することにより一定の後方牽引力を継続的に加えることができ、後方牽引力の適正化が図れる。なお、牽引器５０として、例えば軟質弾性の合成樹脂を用いて、複数のリング部を連続して直列状に連結して形成した図１０のような構成のものを用いても良い。この牽引器５０の一端側５２ａは、歯槽骨に埋設した固定源としてのマイクロスクリュー６０の脱着部６２に係合する。したがって、この実施形態の場合、牽引器５０により牽引索条止具２４の最先端部の片持ちスプール体３４ｃを側面視で湾曲ワイヤ１２と平行に斜め後方に直線状に引くから、本実施形態で最大の回転トルクにより角形ワイヤ部１２１を支点として図１２上、反時計回り方向にトルク負荷を加え続け、これにより、前歯部の傾斜のコントロールをしつつ後方（舌側）牽引が可能となる。
【００２５】
図２において、第２牽引付勢装置１８は、犬歯側のブラケット２２ａ（ｇ）、２２ｂ（ｇ）と固定源のマイクロスクリュー６０とに両端を係止されて犬歯ｎ１、ｎ２のみを単独で後方牽引する装置であり、例えば牽引器５０と同様の構成の係止長さ調整機構付きコイルバネから構成されている。この第２牽引付勢装置は、軟質弾性合成樹脂製の数珠状リング連結部材を用いても良い。犬歯についてのブラケット２２ａ（ｇ）、２２ｂ（ｇ）は湾曲ワイヤ１２をフリー通係自在に案内するガイド１６とされ、図５に示すように湾曲ワイヤ１２を自由にその長手方向に移動自在としている。同時にこの犬歯に固定したブラケット２２ａ（ｇ），２２ｂ（ｇ）は、第２牽引付勢装置１８により単独で後方牽引されており、これによって、前歯４本と切り離して、なおかつ同時に犬歯を後方牽引し、６本の歯をまとめて全体として後方牽引する方法に比べ犬歯の遠心移動がよりスムーズに行なわれる。
【００２６】
次に、本歯列矯正装置の実施形態の作用について説明すると、前歯４本と犬歯の後方牽引に際し、本装置をセットし、牽引索条止具２４のいずれかの掛かり部３２に引っ張り用係止具５０のリング部５２ｂを外掛けし、湾曲ワイヤ１２と平行あるいは平行状に牽引索条止具２４の伸長部側を後方（斜め後方）に牽引付勢させる。同時に同じ固定源（６０）を介して第２牽引付勢装置１８により犬歯ｎ１、ｎ２を単独で後方牽引付勢する。前歯４本は湾曲ワイヤ１２と第１ブラケット２０ａを介して固定されているが、犬歯は２２ａ（ｇ），２２ｂ（ｇ）部分においてフリー通係自在である。この結果、前歯４本の第１牽引付勢装置１４による後方牽引は犬歯の後方牽引付勢と分離され、それぞれについての後方牽引付勢力が加えられるから６本全部まとめて牽引する場合よりも犬歯が皮質骨に接触する可能性が低くなり、結果として早期に６前歯を後方牽引させることができる。同時に、湾曲ワイヤの角形ワイヤ部１２と牽引索条止具２４との伸長部側（例えば片持ちスプール体３４ｃとの係合位置）で連結して後方牽引させるから、牽引索条止具２４と湾曲ワイヤ１２との接合部Ｊを支点として回転トルクを生じさせ、これにより、前歯部の傾斜をコントロールしつつ舌側への移動が可能となる。また、牽引索条止具２４の掛かり部３２は湾曲ワイヤ部から垂直方向に離隔複数位置に設置しているから、牽引器５０の係止位置を最先端のものよりワイヤ側寄りの掛かり部に付け替えることができ、これによって第１牽引付勢装置１４の牽引方向を調節し、角形ワイヤ部１２１による回転トルクの調整を行うことができる。
【００２７】
以上説明した本考案の歯列矯正装置並びにそれに用いられる牽引索条止具は、上記した実施形態のみに限定されるものではない。
【図面の簡単な説明】
【００２８】
【図１】本考案の実施形態に係る歯列矯正装置の上顎の歯列に装着した状態の歯列矯正装置の見上げ平面図である。
【図２】図１の歯列矯正装置の側面視要部の一部拡大図である。
【図３】図１の見上げ平面図の一部省略要部拡大説明図である。
【図４】図１の装置の牽引器による後方牽引構成を示す拡大説明図である。
【図５】図２のＡ−Ａ線断面図である。
【図６】図２のＢ−Ｂ線断面図である。
【図７】図１の歯列矯正装置の牽引索条止具の側面図である。
【図８】図６の牽引索条止具の斜視図である。
【図９】図６の牽引索条止具の正面図である。
【図１０】牽引器の他の例を示す拡大斜視図である。
【図１１】図１の歯列矯正装置の作用説明図である。
【図１２】図１の歯列矯正装置の作用説明図である。
【図１３】他の牽引器を用いて牽引する際の拡大側面説明図である。
【符号の説明】
【００２９】
１  歯列矯正装置
１２  湾曲ワイヤ
１２１  角形ワイヤ部
１２２  円形ワイヤ部
１４  第１牽引付勢装置
１６  ガイド(案内)スロット
１８  第２牽引付勢装置
２０、２２  ブラケット
２４  牽引索条止具
２６  軸杆
２８  固定部分
３２  掛かり部
３４  片持ちスプール体
３８  細径部
４０  拡大部
５０  牽引器
Ｊ  接合部
【図１】
0003143053.tif 000003
【図２】
0003143053.tif 000004
【図３】
0003143053.tif 000005
【図４】
0003143053.tif 000006
【図５】
0003143053.tif 000007
【図６】
0003143053.tif 000008
【図７】
0003143053.tif 000009
【図８】
0003143053.tif 000010
【図９】
0003143053.tif 000011
【図１０】
0003143053.tif 000012
【図１１】
0003143053.tif 000013
【図１２】
0003143053.tif 000014
【図１３】
0003143053.tif 000015
【手続補正書】
【提出日】平成20年4月26日(2008.4.26)
【手続補正１】
【補正対象書類名】実用新案登録請求の範囲
【補正対象項目名】全文
【補正方法】変更
【補正の内容】
【実用新案登録請求の範囲】
【請求項１】
前歯部にその中央部を固定し側方歯部に沿って湾曲配置された湾曲ワイヤと、
湾曲ワイヤの両端側をそれぞれ後方に向けて牽引付勢する牽引器を含む第１牽引付勢手段と、
犬歯に固定したフックを後方に向けて牽引付勢する第２牽引付勢手段と、を含み、
湾曲ワイヤは、前歯４本側に沿う部分に配置される断面多角形の角形ワイヤ部と、角形ワイヤ部の終端からそれぞれ継続して犬歯及び臼歯に沿って配置される断面円形の円形ワイヤ部を有する複合ワイヤ体であり、角形ワイヤ部に一端側を固定するとともに他端側を湾曲ワイヤ部から略垂直方向に伸長保持され、第１牽引付勢手段によりその伸長部を同湾曲ワイヤと平行方向に牽引付勢されつつ角形ワイヤ部に回転負荷を加える態様で設けられた牽引索条止具を備えたことを特徴とする歯列矯正装置。
【請求項２】
牽引索条止具は、角形ワイヤ部側から伸びる軸杆の伸長方向に間隔を設けて多段状に複数設置され、第１牽引付勢手段の牽引器を外掛け、掛け外し自在に外掛けさせる細径部と細径部に連続する拡大部とを一体化した複数の片持ちスプール体からなる掛かり部を備えたことを特徴とする請求項１記載の歯列矯正装置。
【請求項３】
牽引索条止具の掛かり部が複数段設置されていることを特徴とする請求項２記載の歯列矯正装置。
【請求項４】
固定源に一端を係止し他端側を延長し牽引索条止具の伸長部に係合するコイルバネであり、このコイルバネは一定の長さに引き伸ばされたときに常に歯牙移動に適当な１００ｇ重又は１５０ｇ重の牽引力を発揮するように設計されていることを特徴とする請求項１ないし３のいずれかに記載の歯列矯正装置。
【手続補正２】
【補正対象書類名】明細書
【補正対象項目名】０００６
【補正方法】変更
【補正の内容】
【０００６】
また、上記の歯列矯正装置の牽引索条止具２４は、角形ワイヤ部１２１側から伸びる軸杆２６の伸長方向に間隔を設けて多段状に複数設置され、第１牽引付勢手段（１４）の牽引器５０を外掛け、掛け外し自在に外掛けさせる細径部３８と細径部に連続する拡大部４０とを一体化した複数の片持ちスプール体３４からなる掛かり部３２を備えるとよい。
【手続補正３】
【補正対象書類名】明細書
【補正対象項目名】０００９
【補正方法】変更
【補正の内容】
【０００９】
また、固定源に一端５２ａを係止し他端５２ｂ側を延長し牽引索条止具の伸長部に係合するコイルバネであり、このコイルバネは一定の長さに引き伸ばされたときに常に歯牙移動に適当な１００ｇ重（０．９８Ｎ）又は１５０ｇ重（１．４７Ｎ）の牽引力を発揮するように設計されているとよい。